(57)【特許請求の範囲】
【請求項１】
セットされる携帯機器(2)の受電コイル(4)と内蔵する送電コイル(3)との相対位置を検出して表示する位置検出器(5)を備える、送電コイル(3)を固定してなる電源台であって、
前記位置検出器(5)が、前記受電コイル(4)の位置を検出する検出コイル(12)と、周波数の変化する交流信号を前記検出コイル(12)に供給するスイープ発振回路(13)と、このスイープ発振回路(13)から前記検出コイル(12)に供給される交流信号の周波数に対する前記検出コイル(12)のインピーダンスの変化を検出する検出回路(14)と、変化したインピーダンスから受電コイル(4)の位置を検出して表示する表示器(15)とを備え、
前記位置検出器(5)が、前記検出回路(14)で検出される前記検出コイル(12)の変化したインピーダンスから前記受電コイル(4)の位置を検出して、前記表示器(15)でもって前記受電コイル(4)の位置を表示するようにし、
前記検出回路(14)が前記検出コイル(12)のインピーダンスの極大値と極小値の差であるインピーダンス変化値（ΔＺ）で前記受電コイル(4)の位置を検出し、
前記検出回路(14)が前記検出コイル(12)の発振電圧の変化における極大値と極小値の差にて前記受電コイル(4)の位置を検出し、
前記検出コイル(12)が複数のコイルからなり、
前記送電コイル(3)の中心と同心とする中心検出コイルと、
該中心検出コイルの周辺に配置される周辺検出コイルとからなり、
前記周辺検出コイルの前記発振電圧の変化における極大値と極小値の差より、
前記中心検出コイルの前記発振電圧の変化における極大値と極小値の差が大きいとき、前記受電コイル(4)が接近した位置として、表示する電源台。
【請求項２】
前記スイープ発振回路(13)が周波数を変化させる範囲を７５０ｋＨｚ〜１．５ＭＨｚとする請求項１に記載される電源台。
【請求項３】
前記送電コイル(3)を前記検出コイル(12)に兼用してなる請求項１又は２に記載される電源台。
【請求項４】
前記検出コイル(12)が前記送電コイル(3)と同心位置に配置してなる平面コイル(29)である請求項１又は２に記載される電源台。
【請求項５】
前記検出回路(14)がスイープ発振回路(13)の発振電圧の変化で前記検出コイル(12)の変化したインピーダンスを検出する請求項１ないし４のいずれかに記載される電源台。
【請求項６】
前記検出回路(14)がスイープ発振回路(13)の発振電圧を直流に変換して、直流レベルで前記検出コイル(12)の変化したインピーダンスを検出する請求項１ないし４のいずれかに記載される電源台。
【請求項７】
前記検出回路(14)が前記検出コイル(12)のインピーダンスの極小値で前記受電コイル(4)の位置を検出する請求項１ないし６のいずれかに記載される電源台。
【請求項８】
セットされる携帯機器(2)の受電コイル(4)と内蔵する送電コイル(3)との相対位置を検出して表示する位置検出器(5)を備える、送電コイル(3)を固定してなる電源台であって、
前記位置検出器(5)が、前記受電コイル(4)の位置を検出する検出コイル(12)と、周波数の変化する交流信号を前記検出コイル(12)に供給するスイープ発振回路(13)と、このスイープ発振回路(13)から前記検出コイル(12)に供給される交流信号の周波数に対する前記検出コイル(12)のインピーダンスの変化を検出する検出回路(14)と、変化したインピーダンスから受電コイル(4)の位置を検出して表示する表示器(15)とを備え、
前記位置検出器(5)が、前記検出回路(14)で検出される前記検出コイル(12)の変化したインピーダンスから前記受電コイル(4)の位置を検出して、前記表示器(15)でもって前記受電コイル(4)の位置を表示するようにし、
前記スイープ発振回路(13)が、発振コイル(16)と、この発振コイル(16)に接続してなる可変容量ダイオード(18)と、この可変容量ダイオード(18)に一定の周期で変化する制御電圧を供給する制御電圧回路(19)とを備え、
該スイープ発振回路(13)が、前記制御電圧回路(19)から前記可変容量ダイオード(18)に制御電圧が入力されて、発振周波数を一定の周期で変化させるハートレー発振回路(13A)である電源台。
【請求項９】
前記発振コイル(16)の一部分と並列に、一対のダイオード(D1;D2)を互いに逆向きに並列接続してなるダイオードクリップ回路(25)を接続してなる請求項８に記載される電源台。
【請求項１０】
前記発振コイル(16)が中間端子(16a)を備え、この中間端子(16a)と発振コイル(16)の一端との間に前記ダイオードクリップ回路(25)を並列に接続してなる請求項９に記載される電源台。
【請求項１１】
前記発振コイル(16)の一端が、ハートレー発振回路(13A)を構成するトランジスタ(17)のベースにコンデンサー(21)を介して接続され、前記発振コイル(16)の中間端子(16a)が前記トランジスタ(17)のエミッターに接続され、前記トランジスタ(17)のエミッターとアースとの間にダイオードクリップ回路(25)を接続してなる請求項１０に記載される電源台。
【請求項１２】
セットされる携帯機器(2)の受電コイル(4)と内蔵する送電コイル(3)との相対位置を検出して表示する位置検出器(5)を備える、送電コイル(3)を固定してなる電源台であって、
前記位置検出器(5)が、前記受電コイル(4)の位置を検出する検出コイル(12)と、周波数の変化する交流信号を前記検出コイル(12)に供給するスイープ発振回路(13)と、このスイープ発振回路(13)から前記検出コイル(12)に供給される交流信号の周波数に対する前記検出コイル(12)のインピーダンスの変化を検出する検出回路(14)と、変化したインピーダンスから受電コイル(4)の位置を検出して表示する表示器(15)とを備え、
前記位置検出器(5)が、前記検出回路(14)で検出される前記検出コイル(12)の変化したインピーダンスから前記受電コイル(4)の位置を検出して、前記表示器(15)でもって前記受電コイル(4)の位置を表示するようにし、
携帯機器(2)がセットされたことを検出するサブ発振回路(31)と、このサブ発振回路(31)の発振周波数の変化、または、発振電圧の変化を検出して前記携帯機器(2)がセットされたことを検出するサブ検出回路(32)とを備え、
前記サブ検出回路(32)が携帯機器(2)がセットされたことを検出して、前記位置検出器(5)が前記受電コイル(4)の位置を検出する電源台。
【請求項１３】
前記サブ発振回路(31)が、検出コイル(12)のインダクタンスで発振周波数を特定するクラップ発振回路(31A)である請求項１２に記載される電源台。
【請求項１４】
前記周辺検出コイルを、複数備え、該周辺検出コイルは、前記中心検出コイルの中心を、中心として外周部に等間隔で配置される請求項１の電源台。
【発明の詳細な説明】
【技術分野】
【０００１】
本発明は、パック電池や携帯電話などの携帯機器をセットして、電磁誘導作用で電力供給する電源台に関し、とくに、ユーザーが携帯機器を最適位置にセットできるように、携帯機器が最適位置にセットされたかどうかを表示する電源台に関する。
【背景技術】
【０００２】
電磁誘導の作用で送電コイルから受電コイルに電力搬送して、内蔵電池を充電する電源台は、無接点で電力搬送できる特徴がある。この電源台は、送電コイルから受電コイルに効率よく電力搬送するために、送電コイルと受電コイルとを互いに接近させる必要がある。このことを実現するために、携帯機器に内蔵している受電コイルの位置を検出して、受電コイルの位置に送電コイルを移動させる電源台が開発されている。（特許文献１参照）
この電源台は、携帯機器の受電コイルの位置を検出して、受電コイルの位置に送電コイルを移動させるので、受電コイルの位置を検出する回路と、検出する位置に送電コイルを移動させる複雑な駆動機構を必要とするため、回路構成と駆動機構が複雑となって製造コストが高くなる欠点がある。この欠点は、送電コイルを固定して、送電コイルに接近するようにユーザーが携帯機器をセットすることで解消できる。たとえば、電源台の載せ台に、携帯機器のセット位置を表示し、ユーザーがセット位置に携帯機器をセットすることで、受電コイルを送電コイルに接近することができる。ただ、種々の外形の携帯機器に電力搬送し、また、受電コイルを異なる位置に内蔵している携帯機器に電力搬送する電源台は、受電コイルと送電コイルとを常に最適位置にセットするのが難しい。【０００３】
この欠点は、たとえば、ユーザーが携帯機器を電源台に載せるときに、その位置が理想的な位置にあるかどうかを表示することで解消できる。ユーザーが表示を確認しながら、携帯機器の位置を調整できるからである。ところで、携帯機器が電源台にセットされたことは、送電コイルのインダクタンスの増加から検出できる。携帯機器に内蔵する磁気シールドなどの磁性材料が送電コイルに接近して、送電コイルのインダクタンスを大きくするからである。磁気シールドは、受電コイルに誘導される交流磁場をシールドして電池などの発熱を防止するために設けられるので、受電コイルに積層されて、送電コイルとの対向面の反対側に配置される。磁気シールドが受電コイルと同じ位置に配置されるので、受電コイルが送電コイルに接近すると磁気シールドも送電コイルに接近して送電コイルのインダクタンスを増加させる。このため、送電コイルのインダクタンスの増加から受電コイルが送電コイルに接近することを検出できる。【０００４】
図１は、受電コイルが送電コイルに接近して送電コイルのインダクタンスが変化する特性を示している。この図に示すように、受電コイルが送電コイルに接近すると、磁気シールドが送電コイルに接近して送電コイルのインダクタンスを増加させる。
【先行技術文献】
【特許文献】
【０００５】
【特許文献１】特開２００９−２４７１９４号公報
【発明の概要】
【０００６】
図１に示すように、受電コイルが送電コイルに接近すると、送電コイルのインダクタンスが増加する。したがって、送電コイルのインダクタンスが最大値となる位置に携帯機器を移動して、受電コイルを送電コイルに接近できる。しかしながら、インダクタンスが最も大きくなる位置に携帯機器を移動して、受電コイルを送電コイルに接近すると、正確に受電コイルを送電コイルに接近させるのが難しい。それは、受電コイルが送電コイルの近傍にある状態で送電コイルのインダクタンスの変化が緩やかになって、受電コイルが送電コイルに最接近する位置を特定するのが難しいからである。また、図１に示すように、送電コイルのインダクタンスは、受電コイルが送電コイルに最接近する位置で最大とならず、わずかにずれた位置で最大となるので、インダクタンスが最大となる位置、すなわちインダクタンスの最大値から受電コイルの送電コイルに対する位置を正確に検出できない。
【０００７】
本発明は、さらに、この欠点を解決することを目的に開発されたものである。本発明の重要な目的は、受電コイルの位置を正確に検出して表示し、さらにこのことによって、ユーザーが受電コイルを送電コイルに最接近させる位置に携帯機器をセットして効率よく電力搬送できる電源台を提供することにある。
【０００８】
本発明の電源台は、送電コイル３を固定しており、セットされる携帯機器２の受電コイル４と内蔵する送電コイル３との相対位置を検出して表示する位置検出器５を備えている。位置検出器５は、受電コイル４の位置を検出する検出コイル１２と、周波数の変化する交流信号を検出コイル１２に供給するスイープ発振回路１３と、このスイープ発振回路１３から検出コイル１２に供給される交流信号の周波数に対する検出コイル１２のインピーダンスの変化を検出する検出回路１４と、変化したインピーダンスから受電コイル４の位置を検出して表示する表示器１５とを備えている。電源台は、位置検出器５が、検出回路１４で検出される検出コイル１２の変化したインピーダンスから受電コイル４の位置を検出して、表示器１５でもって受電コイル４の位置を表示し、検出回路１４が、検出コイル１２のインピーダンスの極大値と極小値の差であるインピーダンス変化値（ΔＺ）で受電コイル４の位置を検出し、検出回路１４が検出コイル１２の発振電圧の変化における極大値と極小値の差にて受電コイル４の位置を検出し、検出コイル１２が複数のコイルからなり、送電コイル３の中心と同心とする中心検出コイルと、該中心検出コイルの周辺に配置される周辺検出コイルとからなり、周辺検出コイルの発振電圧の変化における極大値と極小値の差より、中心検出コイルの発振電圧の変化における極大値と極小値の差が大きいとき、受電コイル４が接近した位置として、表示する。
【０００９】
以上の電源台は、受電コイルの位置を正確に検出して表示して、ユーザーが受電コイルを送電コイルに最接近させる位置に携帯機器をセットして効率よく電力搬送できる特徴がある。とくに、以上の電源台は、検出コイルのインダクタンスの変化を検出して、受電コイルの送電コイルに対する位置を検出するので、受電コイルの位置を高い精度で検出して、受電コイルを送電コイルにより接近して配置できる。このため、送電コイルから受電コイルに、特に効率よく電力搬送できる特徴が実現される。これは、変化したインピーダンスをより正確に検出して、受電コイルの送電コイルに対する位置をより高精度に検出できる。それは、極大値と極小値の差からインピーダンス変化値を検出するので、インピーダンス変化値（ΔＺ）が大きくなるからである。
【００１０】
本発明の電源台は、前記スイープ発振回路１３が周波数を変化させる範囲を７５０ｋＨｚ〜１．５ＭＨｚとする。
【００１１】
この電源台は、受電コイル４のインダクタンスＬ２と、コンデンサーの静電容量Ｃ２で特定される共振周波数を約１ＭＨｚとし、スイープ発振回路１３が周波数を変化させる範囲を７５０ｋＨｚ〜１．５ＭＨｚとすれば、受電コイル４の共振周波数の１ＭＨｚより少し高めの周波数で負荷インピーダンスＺが極大になるところと極小になる部分が存在し、受電コイル４の送電コイル３に対する相対位置によって、極大値と極小値を検出することができる。
【００１２】
本発明の電源台は、送電コイル３を検出コイル１２に兼用することができる。
【００１３】
この電源台は、専用の検出コイルを設ける必要がなく、また送電コイルを検出コイルに兼用するので、受電コイルの送電コイルに対する位置をより正確に検出できる特徴がある。
【００１４】
本発明の電源台は、検出コイル１２を、送電コイル３と同心位置に配置してなる平面コイル２９とすることができる。
【００１５】
以上の電源台は、検出コイルで、受電コイルの送電コイルに対する位置を正確に検出でき、しかも、受電コイルと送電コイルとの間隔を広くすることなく、検出コイルを設けることができる。
【００１６】
本発明の電源台は、検出回路１４が、スイープ発振回路１３の発振電圧の変化で検出コイル１２の変化したインピーダンスを検出することができる。
【００１７】
以上の電源台は、簡単な回路構成で検出コイルの変化したインピーダンスを検出できる特徴がある。それは、発振電圧の変化を簡単な回路構成で検出できるからである。
【００１８】
本発明の電源台は、検出回路１４が、スイープ発振回路１３の発振電圧を直流に変換して、直流レベルで検出コイル１２の変化したインピーダンスを検出することができる。
【００１９】
以上の電源台は、さらに簡単な回路構成で検出コイルのインダクタンスの変化を検出できる。それは、直流レベルで発振電圧の大きさを検出して、検出コイルのインダクタンスの変化を検出できるからである。
【００２２】
本発明の電源台は、検出回路１４が、検出コイル１２のインピーダンスの極小値で受電コイル４の位置を検出することができる。
【００２３】
この電源台は、簡単な回路構成で検出コイルのインダクタンスの変化を検出できる。それは、極小値から変化したインピーダンスを検出するからである。
【００２４】
本発明の電源台は、送電コイル３を固定しており、セットされる携帯機器２の受電コイル４と内蔵する送電コイル３との相対位置を検出して表示する位置検出器５を備えている。位置検出器５は、受電コイル４の位置を検出する検出コイル１２と、周波数の変化する交流信号を検出コイル１２に供給するスイープ発振回路１３と、このスイープ発振回路１３から検出コイル１２に供給される交流信号の周波数に対する検出コイル１２のインピーダンスの変化を検出する検出回路１４と、変化したインピーダンスから受電コイル４の位置を検出して表示する表示器１５とを備えている。電源台は、位置検出器５が、検出回路１４で検出される検出コイル１２の変化したインピーダンスから受電コイル４の位置を検出して、表示器１５でもって受電コイル４の位置を表示し、スイープ発振回路１３が、発振コイル１６と、この発振コイル１６に接続してなる可変容量ダイオード１８と、この可変容量ダイオード１８に一定の周期で変化する制御電圧を供給する制御電圧回路１９とを備え、制御電圧回路１９から可変容量ダイオード１８に制御電圧を入力して、発振周波数を一定の周期で変化させるハートレー発振回路１３Ａとすることができる。
【００２５】
以上の電源台は、スイープ発振回路を簡単な回路構成として、発振周波数を一定の周期で変化できる特徴がある。
【００２６】
本発明の電源台は、発振コイル１６の一部分と並列に、一対のダイオードＤ１、Ｄ２を互いに逆向きに並列接続してなるクリップ回路２５を接続することができる。
【００２７】
以上の電源台は、スイープ発振回路の周波数に対する発振電圧の変動を少なくできる。このため、スイープ発振回路の発振電圧から正確に受電コイルの送電コイルに対する位置を検出できる。
【００２８】
本発明の電源台は、発振コイル１６が中間端子１６ａを備え、この中間端子１６ａと発振コイル１６の一端との間にクリップ回路２５を並列に接続することができる。
【００２９】
この電源台は、スイープ発振回路からサイン波の交流信号を出力しながら、周波数に対する振幅変動を少なくできる特徴がある。
【００３０】
本発明の電源台は、発振コイル１６の一端を、ハートレー発振回路１３Ａを構成するトランジスタ１７のベースにコンデンサー２１を介して接続し、発振コイル１６の中間端子１６ａをトランジスタ１７のエミッターに接続して、トランジスタ１７のエミッターとアースとの間にクリップ回路２５を接続することができる。
【００３１】
この電源台は、スイープ発振回路であるハートレー発振回路から、周波数を変化させるサイン波を出力し、かつ発振電圧の変動を防止できる特徴がある。
【００３２】
本発明の電源台は、送電コイル３を固定しており、セットされる携帯機器２の受電コイル４と内蔵する送電コイル３との相対位置を検出して表示する位置検出器５を備えている。位置検出器５は、受電コイル４の位置を検出する検出コイル１２と、周波数の変化する交流信号を検出コイル１２に供給するスイープ発振回路１３と、このスイープ発振回路１３から検出コイル１２に供給される交流信号の周波数に対する検出コイル１２のインピーダンスの変化を検出する検出回路１４と、変化したインピーダンスから受電コイル４の位置を検出して表示する表示器１５とを備えている。電源台は、位置検出器５が、検出回路１４で検出される検出コイル１２の変化したインピーダンスから受電コイル４の位置を検出して、表示器１５でもって受電コイル４の位置を表示し、携帯機器２がセットされたことを検出するサブ発振回路３１と、このサブ発振回路３１の発振周波数の変化、または、発振電圧の変化で送電コイル３のインダクタンスの変化を検出して携帯機器２がセットされたことを検出するサブ検出回路３２とを備え、サブ検出回路３２が携帯機器２がセットされたことを検出して、位置検出器５が受電コイル４の位置を検出することができる。
【００３３】
以上の電源台は、簡単な回路構成で携帯機器がセットされたことを検出して、受電コイルの送電コイルに対する位置検出を開始できる。
【００３４】
本発明の電源台は、サブ発振回路３１を、検出コイル１２のインダクタンスで発振周波数を特定するクラップ発振回路３１Ａとすることができる。
【００３５】
以上の電源台は、検出コイルでクラップ発振回路の発振周波数を特定して、検出コイルのインダクタンスを検出できる。
【００３９】
前記周辺検出コイルを、複数備え、該周辺検出コイルは、前記中心検出コイルの中心を、中心として外周部に等間隔で配置される。
【００４０】
以上の電源台は、中心検出コイルと、周辺検出コイルからの発振電圧の変化における極大値と極小値の差より、受電コイルの接近したことがわかる。
【図面の簡単な説明】
【００４１】
【図１】受電コイルが送電コイルに接近する状態で送電コイルのインダクタンスが変化する特性を示すグラフである。
【図２】本発明の一実施の形態に示す電源台に携帯機器をセットした状態を示すブロック図である。
【図３】図２に示す電源台のブロック回路図である。
【図４】専用の検出コイルの一例を示す拡大断面図である。
【図５】専用の検出コイルの他の一例を示す拡大断面図である。
【図６】専用の検出コイルの他の一例を示す拡大断面図である。
【図７】スイープ発振回路の発振周波数に対する発振電圧の変化を示す図である。
【図８】送電コイルに受電コイルが結合された状態を示す回路図である。
【図９】送電コイルに受電コイルが結合された状態を示す等価回路図である。
【図１０】表示器の他の一例を示す概略図である。
【図１１】中心検出コイル、周辺検出コイルを説明する図である。
【発明を実施するための形態】
【００４２】
以下、本発明の実施例を図面に基づいて説明する。ただし、以下に示す実施例は、本発明の技術思想を具体化するための電源台を例示するものであって、本発明は電源台を以下のものに特定しない。さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００４３】
図２の電源台１は、携帯機器２をセットして、送電コイル３から携帯機器２の受電コイル４に磁気誘導作用で電力搬送して、携帯機器２に内蔵している電池４１を充電する。電源台１にセットされる携帯機器２は、電源台１から搬送される電力で携帯機器２に内蔵している電池４１を充電する。図の携帯機器２は、電源台１の送電コイル３に電磁結合される受電コイル４を内蔵しており、この受電コイル４に誘導される電力で電池４１を充電する。この携帯機器２は、受電コイル４に誘導される交流を直流に変換して電池４１を充電すると共に、電池４１の満充電を検出する充電制御回路４２を備えている。携帯機器２は、充電できる電池を備えているパック電池、携帯電話機、携帯式の音響機器、携帯機器を充電する電池を内蔵している携帯充電器などである。ただ、電源台から携帯機器に搬送される電力は、必ずしも電池の充電には特定されず、たとえば、携帯機器を動作させる電力に利用され、あるいは携帯機器に接続される機器に供給する電力に利用される。
【００４４】
電源台１は、ケース１０の上面に、携帯機器２を載せる上面プレート１１を設けて、この上面プレート１１の内側に送電コイル３を配置している。送電コイル３は、交流電源８に接続されて、交流電源８から供給される交流電力を磁気誘導作用で受電コイル４に電力搬送する。交流電源８はコントロール回路９で制御される。コントロール回路９は、携帯機器２の伝送回路４３から受電コイル４と送電コイル３を介して伝送される検出信号を受信回路７で検出して、検出する検出信号で、交流電源８を制御して送電コイル３に供給する電力をコントロールしながら、携帯機器２に電力搬送する。
【００４５】
電源台１は、上面プレート１１の内面に送電コイル３を固定している。送電コイル３は、上面プレート１１と平行な面で渦巻き状に巻いてなる平面コイルで、上面プレート１１の上方に交流磁束を放射する。この送電コイル３は、上面プレート１１に直交する交流磁束を上面プレート１１の上方に放射する。送電コイル３は、交流電源８から交流電力が供給されて、上面プレート１１の上方に交流磁束を放射する。送電コイル３は、受電コイル４の外径にほぼ等しくして、受電コイル４に効率よく電力搬送する。
【００４６】
さらに、電源台１は、ユーザーが携帯機器２を最適位置にセットできるように、すなわち携帯機器２の受電コイル４を送電コイル３に接近させる位置にセットできるように、セットされた携帯機器２の受電コイル４の位置を検出する位置検出器５を備える。
【００４７】
図３の位置検出器５は、受電コイル４の位置を検出する検出コイル１２と、周波数の変化する交流信号を検出コイル１２に供給するスイープ発振回路１３と、このスイープ発振回路１３から検出コイル１２に供給される交流信号の周波数に対する検出コイル１２の変化したインピーダンスを検出する検出回路１４と、周波数に対する変化したインピーダンスから検出コイル１２に対する受電コイル４の位置を検出して表示する表示器１５とを備える。
【００４８】
位置検出器５は、検出コイル１２に供給する交流信号の周波数に対する変化したインピーダンスの大きさを検出回路１４で検出して、送電コイル３に対する受電コイル４の位置を検出して、表示器１５で表示する。
【００４９】
検出コイル１２は、受電コイル４が接近することを検出するために設けている。図３の回路図に示す電源台１は、送電コイル３を検出コイル１２に兼用する。したがって、受電コイル４の送電コイル３に対する位置を検出する状態では、スイッチＳ２をオンに切り換えて、検出コイル１２をスイープ発振回路１３の出力側に接続する。この状態で、スイッチＳ１はオフに切り換えられて、送電コイル３を他の回路（後述するサブ発振回路３１）から切り離す。
【００５０】
この電源台１は、専用の検出コイル１２を設けることなく、送電コイル３を検出コイル１２に兼用して、送電コイル３の周波数に対する変化したインピーダンスから受電コイル４が送電コイル３に接近する位置を正確に検出できる。
【００５１】
ただし、電源台は、専用の検出コイルを設けることもできる。図４〜図６に示す電源台は、上面プレート１１の内面に送電コイル３とは別に、送電コイル３と同心位置に平面コイル２９を固定して検出コイル１２としている。ここで、専用の検出コイル１２は、流れる電流が極めて小さいので、たとえば、０．１ｍｍ程度の細線の平面コイル２９で実現できる。図４は、検出コイル１２である平面コイル２９Ａを、送電コイル３と上面プレート１１との間に配置する例を示している。細線からなる平面コイル２９は、受電コイル４と送電コイル３との間隔を広くすることなく、検出コイル１２を設けることができる。また、図５は、平面コイル２９Ａを送電コイル３の表面に積層する状態を示している。この図に示す平面コイル２９Ａは、送電コイル３の表面であって、上面プレート１１と反対側の表面に積層して固定している。この構造は、送電コイル３を上面プレート１１の内面に接近させて、受電コイル４との間隔を最短にしながら、平面コイル２９Ａを同心に配置できる。さらにまた、図６は、平面コイル２９Ｂを送電コイル３の中心の中空部に配置している。この構造は、専用の検出コイル１２を送電コイル３の定位置に省スペースに配置しながら、送電コイル３及び検出コイル１２と受電コイル４との間隔を最短にできる。
【００５２】
スイープ発振回路１３は所定の発振周波数で周波数を変化させる。この発振回路は、発振コイル１６と、この発振コイル１６に接続しているトランジスタ１７と、発振コイル１６に接続している可変容量ダイオード１８と、この可変容量ダイオード１８に一定の周期で変化する制御電圧を供給する制御電圧回路１９とを備える。
【００５３】
図３のスイープ発振回路１３はハートレー発振回路１３Ａで、発振コイル１６と並列に、コンデンサー２０と、一対の可変容量ダイオード１８、１８の直列回路を接続している。図のハートレー発振回路１３Ａは、発振コイル１６の一端をトランジスタ１７のベースにコンデンサー２１を介して接続して、発振コイル１６の中間端子１６ａを、負荷抵抗２２を介してトランジスタ１７のエミッターに接続している。トランジスタ１７は、コレクターを電源ライン２４に接続して、ベースをバイアス抵抗２３を介して電源ライン２４に接続して、エミッターから交流信号を出力している。
【００５４】
ところで、可変容量ダイオード１８で発振周波数をコントロールする発振回路は、発振周波数によって発振電圧が変化する特性がある。それは、静電容量が大きくなると、可変容量ダイオード１８のＱ値が低下するからである。発振電圧は、可変容量ダイオード１８のＱ値が低下すると小さくなる。このため、可変容量ダイオード１８の静電容量を変化して発振周波数を調整する発振回路は、可変容量ダイオード１８の静電容量が大きくなって発振周波数が低下すると発振電圧が低下する。図３の位置検出器５は、検出コイル１２である送電コイル３の周波数に対するインピーダンスの変化を、検出コイル１２両端の電圧変化で検出して、受電コイル４の位置を検出するので、発振回路自体の発振電圧が周波数によって変化すると、受電コイル４の位置を正確に検出できなくなる。検出コイル１２の電圧変化が、発振回路に起因するのか、受電コイル４の位置に起因するのかを判定できないからである。
【００５５】
図３のスイープ発振回路１３は、発振電圧を一定の振幅に安定化するために、発振コイル１６と並列にクリップ回路２５を接続している。クリップ回路２５は、一対のダイオードＤ１、Ｄ２を互いに逆方向に並列接続しているダイオードクリップ回路で、発振コイル１６の一部、すなわち、発振コイル１６の中間端子１６ａとアース側との間に接続している。クリップ回路２５は、両端の電圧を約０．６Ｖに制限して、発振電圧、すなわちトランジスタ１７のエミッターからの出力レベルを一定に安定化する。クリップ回路２５は、振幅を制限するので、その両端の電圧波形は矩形波となるが、発振コイル１６の両端の電圧は、発振コイル１６とコンデンサー２０との共振回路によってサイン波となり、トランジスタ１７のエミッターからサイン波の交流信号として出力される。
【００５６】
図３のスイープ発振回路１３は、発振コイル１６のインダクタンスとコンデンサー２０及び可変容量ダイオード１８の静電容量で発振周波数を特定する。したがって、可変容量ダイオード１８の静電容量が、制御電圧回路１９から入力される制御電圧にコントロールされて、発振周波数が図７に示すように変化する。制御電圧回路１９はノコギリ波の制御電圧を入力して、可変容量ダイオード１８の静電容量を一定の周期で変化させて、スイープ発振回路１３の発振周波数を、図７に示すように、所定の周期で変化させる。
【００５７】
検出回路１４は、スイープ発振回路１３から検出コイル１２である送電コイル３に供給される交流信号の周波数に対する検出コイル１２の変化したインピーダンスを検出して、受電コイル４の検出コイル１２に対する位置を検出する。
【００５８】
図３の回路図に示す電源台１は、受電コイル４の送電コイル３に対する位置を検出する状態では、スイッチＳ１をオフとして、送電コイル３を他の回路（サブ発振回路３１）から切り離し、スイッチＳ２をオンとして、スイープ発振回路１３の出力側に検出コイル１２に使用される送電コイル３を接続する。
【００５９】
検出コイル１２に兼用される送電コイル３は、受電コイル４が接近する状態の等価回路において、受電コイル４が結合係数Ｍを介して接続されてインピーダンスＺが変化する。検出コイル１２はスイープ発振回路１３の負荷として接続されるので、検出コイル１２のインピーダンスは、スイープ発振回路１３の負荷インピーダンスＺとなる。
【００６０】
図８は送電コイル３に受電コイル４が結合された状態を示し、図９はその等価回路を示している。この図において、
送電コイル３のインダクタンスＬ１、
カップリングコンデンサーの静電容量Ｃ１、
直列抵抗の電気抵抗Ｒ１、
受電コイル４のインダクタンスＬ２、
受電コイル４と並列に接続しているコンデンサーの静電容量Ｃ２、
受電コイル４側に接続している抵抗成分の電気抵抗Ｒ２、
両コイルの結合係数をＭとして、
送電コイル３側インピーダンスをＺ１、受電コイル４側インピーダンスをＺ２とすれば、
【００６１】
【数１】
0005932140.tif 000002
【００６２】
【数２】
0005932140.tif 000003
【００６３】
となり、また、結合係数Ｍを含めた受電側インピーダンスをＺ３とするとき、
【００６４】
【数３】
0005932140.tif 000004
【００６５】
となり、回路全体のインピーダンス、すなわちハートレー発振回路１３Ａの負荷インピーダンスＺは以下のようになる。
【００６６】
【数４】
0005932140.tif 000005
【００６７】
たとえば、受電コイル４のインダクタンスＬ２と、コンデンサーの静電容量Ｃ２で特定される共振周波数を約１ＭＨｚとし、スイープ発振回路１３が周波数を変化させる範囲を７５０ｋＨｚ〜１．５ＭＨｚとすれば、受電コイル４の共振周波数の１ＭＨｚより少し高めの周波数で負荷インピーダンスＺが極大になるところと極小になる部分が存在し、受電コイル４の送電コイル３に対する相対位置によって、極大値と極小値との差、すなわち周波数に対するインピーダンス変化値（ΔＺ）が変化する。
【００６８】
受電コイル４が送電コイル３に接近すると、周波数に対するインピーダンス変化値（ΔＺ）は大きくなり、離れると小さくなる。それは、インピーダンス変化値（ΔＺ）が、受電コイル４と送電コイル３の結合係数Ｍによって変化するからである。結合係数Ｍは、受電コイル４が送電コイル３に接近するにしたがって大きくなる。このため、受電コイル４が送電コイル３に接近して、結合係数Ｍが大きくなるほど、周波数に対するインピーダンス変化値（ΔＺ）は大きくなり、離れるにしたがって小さくなる。検出回路１４は、周波数に対するインピーダンス変化値（ΔＺ）の大きさから、受電コイル４の送電コイル３に対する位置、すなわち受電コイル４が送電コイル３に接近したことを検出する。
【００６９】
図３の検出回路１４は、負荷インピーダンスＺの変化を発振電圧の変化を介して検出する。負荷インピーダンスＺが低下すると、スイープ発振回路１３の発振電圧、すなわち出力電圧が低下するからである。さらに、図３の検出回路１４は、スイープ発振回路１３から出力される交流信号をダイオード２７で整流して、出力電圧を直流レベルで検出する。この検出回路１４は、スイープ発振回路１３から出力される直流レベルを設定値に比較して、インピーダンス変化値（ΔＺ）が設定値よりも大きいことを判定する。すなわち、インピーダンス変化値（ΔＺ）が設定値よりも大きくなると、直流レベルの変化値（ΔＶ）が設定値よりも低くなるからである。言い換えると、検出回路１４は、周波数に対する直流レベルの変化値（ΔＶ）をメモリ２６に記憶している設定値に比較して、周波数に対するインピーダンス変化値（ΔＺ）が設定値よりも大きいかどうかを判定する。すなわち、この検出回路１４は、変化値（ΔＶ）をあらかじめメモリ２６に記憶している設定値に比較して、変化値（ΔＶ）がメモリ２６の設定値よりも大きいと、受電コイル４が送電コイル３の接近位置にあると判定し、設定値よりも小さい状態では接近位置にないと判定する。
【００７０】
図３の検出回路１４は、スイープ発振回路１３の発振電圧の変化値（ΔＶ）を直流レベルで検出して設定値に比較するので、簡単な回路構成で変化値（ΔＶ）が設定値よりも大きいかどうかを判定できる。ただ、検出回路は、スイープ発振回路の発振電圧の変化値（ΔＶ）を交流レベルで設定値に比較することもできる。
【００７１】
検出回路１４は、出力電圧の変化値（ΔＶ）をあらかじめメモリ２６に記憶している複数の設定値に比較して、最接近位置、接近位置、非接近位置等の複数のステップとして判定することもできる。受電コイル４の位置を、最接近位置、接近位置、非接近位置と三段階に判定する検出回路１４は、最接近と判定する第１の設定値と、接近位置と判定する第２の設定値とをメモリ２６に記憶している。この検出回路１４は、周波数に対する出力電圧の変化値（ΔＶ）が第１の設定値以上と判定すると最接近位置と決定し、第１の設定値よりも小さくて第２の設定値以上であると接近位置と決定し、第２の設定値よりも小さいと非接近位置と判定する。検出回路１４は、さらに多くの設定値を記憶して、記憶する設定値に出力電圧の変化値（ΔＶ）を比較して、さらに詳細に受電コイル４の位置を判定することもできる。
【００７２】
以上の検出回路１４は、スイープ発振回路１３の発振電圧を介してインピーダンス変化値（ΔＺ）を検出するので、簡単な回路構成でインピーダンス変化値（ΔＺ）を検出できる。ただし、検出回路は、スイープ発振回路のインピーダンスを検出し、あるいは、負荷電流を検出してインピーダンス変化値（ΔＺ）を検出して、受電コイルの送電コイルに対する位置を検出することもできる。
【００７３】
さらに、以上の検出回路１４は、極大値と極小値の差から周波数に対する変化値を検出して、受電コイル４の送電コイル３に対する位置を検出する。この検出回路１４は、インピーダンスや電圧の変化値が大きくなるので、受電コイル４の送電コイル３に対する位置をより正確に検出できる。ただ、検出回路は、必ずしも極大値と極小値の差からインピーダンス変化値や出力電圧の変化を検出して、受電コイルの送電コイルに対する位置を検出する必要はなく、極小値又は極大値からインピーダンス変化値や電圧変化を検出して、受電コイルの送電コイルに対する位置を検出することもできる。それは、受電コイルが送電コイルに接近するにしたがって、インピーダンスや出力電圧の極大値は大きくなって、極小値は小さくなるからである。
【００７４】
表示器１５は、検出回路１４で検出される受電コイル４の位置を表示する。表示器１５はＬＥＤ２８などのパイロットランプを点灯して受電コイル４の送電コイル３に対する位置を表示する。表示器１５は、ＬＥＤ２８の発光色で受電コイル４の接近位置を表示する。この表示器１５は、たとえば、電源台１に携帯機器２がセットされて、受電コイル４が接近位置に配置されると、赤色に点灯し、接近位置にないと青色に点灯して、受電コイル４の位置を表示する。この表示器１５は、電源台１に携帯機器２がセットされない状態でＬＥＤ２８を点灯しない。さらに、受電コイル４の送電コイル３に対する位置を最接近位置と、接近位置と、非接近位置とに表示する表示器１５は、ＬＥＤの発光色を、赤、緑、青色に点灯して表示する。さらに、表示器１５は、図１０に示すように、点灯するＬＥＤ２８の個数で接近位置を表示することもできる。この表示器１５は、電源台１に携帯機器２がセットされて、受電コイル４が送電コイル３に接近すると、全てのＬＥＤ２８を点灯し、受電コイル４が送電コイル３から離れるにしたがって点灯するＬＥＤ２８の個数を少
なくする。さらに、図示しないが、表示器は、アナログメータやデジタルメータで受電コイルの送電コイルに対する位置を表示することができる。この表示器は、メータでもって受電コイルと送電コイルの相対距離を表示する。表示器のメータは、指針が最も大きく振れる位置を、受電コイルが送電コイルに最接近する位置とする。さらに、本発明は、表示器を以上の構造には特定せず、受電コイルが送電コイルに接近する状態を表示できる全ての構造とすることができる。
【００７５】
電源台１は、携帯機器２がセットされたことを起動回路で検出した後、受電コイル４の位置検出を開始する。電源台は、ユーザーが操作するスイッチ（図示せず）を起動回路として設けて、このスイッチのオンオフ信号で携帯機器がセットされたことを検出して、受電コイルの位置検出を開始できる。ただ、電源台は、ユーザーがスイッチなどを操作することなく、携帯機器がセットされたことを自動的に検出して、受電コイルの位置検出を開始することもできる。この電源台は、ユーザーがスイッチなどを操作することなく、携帯機器がセットされると位置検出を開始するので、便利に使用できる。
【００７６】
以上の電源台１は、検出コイル１２のインダクタンスの変化で携帯機器２がセットされたことを検出する起動回路６を備える。この検出コイル１２も送電コイル３を兼用できる。ただし、本発明の電源台は、携帯機器がセットされたことを検出する回路構成を特定するものではなく、たとえば、一定の周期で位置検出器を動作状態として、受電コイルの位置検出を開始することもできる。
【００７７】
以下、送電コイル３を検出コイル１２に兼用して、携帯機器２が電源台１にセットされたことを検出する起動回路６の具体例を詳述する。送電コイル３のインダクタンスは、携帯機器２がセットされると増加する。携帯機器２に内蔵する磁気シールド４４などの磁性材料が検出コイル１２に接近して磁束密度を高くするからである。図２と図３の電源台１は、送電コイル３のインダクタンスの増加で携帯機器２がセットされたことを検出する起動回路６を備える。この起動回路６は、送電コイル３のインダクタンスで発振周波数を特
定するサブ発振回路３１と、このサブ発振回路３１の発振周波数の変化からインダクタンスの変化を検出して携帯機器２がセットされたことを検出し、あるいは、このサブ発振回路３１の発振電圧の変化を検出して携帯機器２がセットされたことを検出するサブ検出回路３２とを備える。
【００７８】
携帯機器２がセットされたことを起動回路６が検出する状態では、コントロール回路９がスイッチＳ２をオフに切り換え、スイッチＳ１をオンに切り換えて、検出コイル１２に兼用される送電コイル３をサブ発振回路３１に接続する。
【００７９】
図３のサブ発振回路３１はクラップ発振回路３１Ａである。このサブ発振回路３１は、送電コイル３と、直列に接続しているコンデンサー３３の静電容量で発振周波数を特定する。このサブ発振回路３１の発振周波数（ｆ）は、送電コイル３のインダクタンス（Ｌ）と、コンデンサー３３の静電容量（Ｃ）から以下の数式で特定される。
【００８０】
【数５】
0005932140.tif 000006
【００８１】
サブ検出回路３２は、サブ発振回路３１の発振周波数を周波数カウンタ３４で検出して発振周波数（ｆ）を検出し、発振周波数（ｆ）から送電コイル３のインダクタンス（Ｌ）を演算する。発振周波数（ｆ）が検出されると、送電コイル３のインダクタンス（Ｌ）は、発振周波数（ｆ）とコンデンサー３３の静電容量（Ｃ）から、以下の数式で演算される。
【００８２】
【数６】
0005932140.tif 000007
【００８３】
サブ検出回路３２は、インダクタンス（Ｌ）を演算して、演算されるインダクタンス（Ｌ）を閾値に比較して、携帯機器２がセットされたことを検出する。ただし、サブ検出回路は、必ずしもインダクタンスを演算して閾値に比較することなく、インダクタンスによって特定される周波数から携帯機器がセットされたことを検出することもできる。インダクタンスが変化すると発振周波数も変化するので、周波数を閾値に比較して携帯機器を検出する方法は、実質的にはインダクタンスを閾値に比較して携帯機器を検出することになるからである。インダクタンスを演算することなく、発振周波数から携帯機器を判定する方法は、より簡単に携帯機器がセットされたことを判定できる。
【００８４】
サブ検出回路３２は、電源台１の上面プレート１１に、携帯機器２がセットされない状態における、送電コイル３のインダクタンスを基準インダクタンスとし、この基準インダクタンスに対してインダクタンスが増加する変化量（ΔＨ）から、携帯機器２がセットされたことを判定する。サブ検出回路３２は、携帯機器２がセットされない状態で、所定の周期（たとえば１秒周期）で検出コイル１２のインダクタンスの変化量（ΔＨ）を検出して、携帯機器２がセットされたかどうかを判定する。
【００８５】
携帯機器２が電源台１の上面プレート１１にセットされて、送電コイル３のインダクタンス（Ｌ）を増加させるインダクタンスの変化量（ΔＨ）は、各々の携帯機器２によって変化する。携帯機器２に内蔵される受電コイル４の磁気シールド４４の材質、大きさ、形状、送電コイル３から磁気シールド４４までの距離などが異なるからである。携帯機器２を電源台１の上面プレート１１にセットして、送電コイル３のインダクタンスの変化量（ΔＨ）を検出し、検出されるインダクタンスの変化量（ΔＨ）を各々の携帯機器２のメモリに記憶し、携帯機器２から電源台１に伝送することで、サブ検出回路３２はより正確に携帯機器２がセットされたことを判定できる。携帯機器２が電源台１にセットされる状態で、携帯機器２から電源台１に、インダクタンスの変化量（ΔＨ）の閾値を伝送して、電源台１のサブ検出回路３２が、インダクタンスの変化量（ΔＨ）をこの閾値に比較して、携帯機器２のセットを判定できるからである。
【００８６】
さらに、図３のサブ検出回路３２は、サブ発振回路３１の発振電圧の変化を検出する検出部３５を備えている。図の検出部３５は、サブ発振回路３１から出力される交流信号をダイオード３６で整流して、出力電圧を直流レベルで検出する。図３に示す起動回路６は、サブ発振回路３１の出力側に接続しているトランジスタ３７のベースに、出力を整流して直流に変換するダイオード３６を接続しており、このダイオード３６の出力側をサブ検出回路３２の検出部３５に接続している。ダイオード３６は、サブ発振回路３１の出力である交流成分を整流して、交流成分の振幅に対応する直流電圧を出力する。ダイオード３６から出力される直流電圧は、検出部３５に出力される。検出部３５は、ダイオード３６から入力される直流電圧からサブ発振回路３１の発振電圧を直流レベルで検出する。
【００８７】
サブ検出回路３２は、電源台１の上面プレート１１に携帯機器２がセットされない状態における、サブ発振回路３１の発振電圧を基準とし、この基準電圧に対する発振電圧の変化量（ΔＶ）から、携帯機器２がセットされたことを判定する。サブ検出回路３２は、携帯機器２がセットされない状態で、基準の所定の周期（たとえば１秒周期）でサブ発振回路３１の発振電圧の変化量（ΔＶ）を検出して、携帯機器２がセットされたかどうかを判定する。
【００８８】
電源台１は、スイッチＳ１をオン、スイッチＳ２をオフとして、起動回路６で携帯機器２がセットされたことを検出すると、スイッチＳ１をオフ、スイッチＳ２をオンに切り換えて、位置検出器５でもって、携帯機器２が最適な位置にセットされたかどうか、すなわち受電コイル４が送電コイル３に接近する位置に配置されて、効率よく電力搬送できるかどうかを検出して表示する。位置検出器５は、受電コイル４の送電コイル３に対する位置を表示し、ユーザーはこの表示を見ながら、ユーザーが携帯機器２を動かすことにより、携帯機器２を電源台１の最適な位置にセットして受電コイル４を送電コイル３に接近させる。
【００８９】
携帯機器２が最適位置にセットされることを検出すると、位置検出器５がコントロール回路９を制御し、コントロール回路９がスイッチＳ１とスイッチＳ２をオフに切り換えて、送電コイル３を交流電源８に接続し、交流電源８から送電コイル３に交流電力を供給して電力搬送を開始する。
【００９０】
交流電源８は、たとえば、２０ｋＨｚ〜１ＭＨｚの高周波電力を送電コイル３に供給する。交流電源８は、図示しないが、発振回路と、この発振回路から出力される交流を電力増幅するパワーアンプとを備える。送電コイル３の交流電力は、受電コイル４に電力搬送される。携帯機器２は、内蔵する電池４１を充電し、あるいは機器を動作状態とする。携帯機器２の電池４１を充電する電源台１は、電池４１が満充電されると、携帯機器２の伝送回路４３から伝送される満充電信号を受信回路７で検出する。電源台１は、満充電信号を検出すると、コントロール回路９が交流電源８を制御して、送電コイル３への電力供給を停止して、電池４１の充電を停止する。
【００９１】
上述のように、検出回路１４は、極大値と極小値の差から周波数に対する変化値を検出して、受電コイル４の送電コイル３に対する位置を検出する。受電コイルが送電コイルに接近するにしたがって、検出コイル１２におけるインピーダンスや出力電圧の極大値は大きくなって、極小値は小さくなり、極大値と極小値の差が最大のとき、受電コイル４が送電コイル３に最も接近、即ち、平面円形コイル（或いは、円形に近い形）の中心が一致した位置となる。
【００９２】
また、本実施例においては、検出コイル１２からの出力電圧の極大値、極小値は、図７に示すように、１ＭＨｚ付近で極大値、隣接して周波数が大きい側に、極小値を検出することができる。検出回路１４においては、その時点での位置関係（受電コイルが送電コイルとの位置関係）における極大値と極小値の差を検出することができる。
【００９３】
図１１（ａ）、（ｂ）に示すように、  前記送電コイル(3)の中心と同心とする中心検
出コイルと、該中心検出コイルの周辺に配置される周辺検出コイルとからなり、周辺検出コイルを、複数備え、該周辺検出コイルは、中心検出コイルの中心を、中心として外周部に等間隔で配置される。
【００９４】
図１１（ａ）においては、中心検出コイル１２ｃと、これの中心を中心にして、半円状の平面検周辺出コイル１２ｈ、１２ｈを配置している。図１１（ｂ）においては、中心検出コイル１２ｃと、これの中心を中心にして、扇形状（中心角９０度）の４つの平面周辺検出コイル１２ｑ１、１２ｑ２、１２ｑ３、１２ｑ４を配置している。
【００９５】
図１１（ｃ）は、（ａ）（ｂ）のコイル配置に共通して、中心検出コイル１２ｃの位置（＝送電コイルの位置）に、受電コイルが、図１１の紙面真横方向（図１１（ａ）での点線矢印方向）から接近したときの各位置関係（中心検出コイルの中心からの距離が横軸）での各々の検出コイル１２からの出力電圧の極大値、極小値の差の値を、縦軸に示している。図示しないが、中心検出コイル、周辺検出コイルは、各々分離され、スイッチＳ２に相当するスイッチが、選択的に検出コイルに接続され、検出回路１４にて検出されている。図１１（ｂ）における周辺検出コイル１２ｑ１、１２ｑ４の出力、周辺検出コイル１２ｑ２、１２ｑ３の出力は、受電コイルが、図１１の紙面真横方向から接近しているので、同一となっている。受電コイルが、中心検出コイル（送電コイル）の外周から中心に接近するに従って、周辺検出コイルの値が、増加し、頂点に達したのち低下している。また、中心検出コイルの値は、中心に接近するに従って、増加し、中心にて頂点となる。
【００９６】
図１１（ｃ）に示すように、本実施例においては、ユーザーが携帯機器２を動かして、受電コイルを、中心検出コイル（送電コイル）の外周から中心に接近するとき、周辺検出コイルの値が所定値より大きくなると、表示器１５のＬＥＤ２８を特定の色（例えば、赤色）に点灯する。これにより、ユーザーは、中心に近づいたことを、理解できる。その後、受電コイルを、中心検出コイル（送電コイル）により接近させ、周辺検出コイルの値より、中心検出コイルの値が大きいとき、充電可能範囲として、表示器１５のＬＥＤ２８の点灯の色を他の色（例えば、青色）にする。これにより、ユーザーは、充電が可能な位置（接近した位置）であることが理解できる。
【００９７】
更に、受電コイルの中心を、中心検出コイル（送電コイル）の中心により接近させるに従い、表示器１５のＬＥＤ２８の点灯（例えば、青色）の発光強度（発光輝度、発光照度）を大きくする。発光強度（発光輝度、発光照度）は、図１１（ｃ）の中心検出コイルの値に対応しており、これにより、ユーザーが、中心に近づいたことを、理解できる。
【００９８】
更に、ユーザーが、携帯機器２を少し動かしつつ、発光強度（発光輝度、発光照度）が最も大きいところを探し出し、ここの位置に、携帯機器２を置くことより、最適な位置で充電が開始される。
【００９９】
ここで、図１１（ａ）（ｂ）においては、コイルが線で示されているが、上述の図４等に示される平面コイルが利用される。また、このようなコイルは、プリント基板上にパターン化されたコイルであっても良い。例えば、プリント基板上面側（上面プレート１１側）に、中心検出コイルをパターン配線し、プリント基板の下面側に、周辺検出コイルをパターン配線することもできる。このプリント基板を、送電コイル上に配置する。
【産業上の利用可能性】
【０１００】
本発明は、送電コイルを固定して、この送電コイルから受電コイルに効率よく電力搬送できる電源台に最適である。
【符号の説明】
【０１０１】
１  …電源台
２  …携帯機器
３  …送電コイル
４  …受電コイル
５  …位置検出器
６  …起動回路
７  …受信回路
８  …交流電源
９  …コントロール回路
１０  …ケース
１１  …上面プレート
１２  …検出コイル
１２ｃ…中心検出コイル
１２ｑ１〜ｑ４…周辺検出コイル
１３  …スイープ発振回路
１３Ａ…ハートレー発振回路
１４  …検出回路
１５  …表示器
１６  …発振コイル
１６ａ…中間端子
１７  …トランジスタ
１８  …可変容量ダイオード
１９  …制御電圧回路
２０  …コンデンサー
２１  …コンデンサー
２２  …負荷抵抗
２３  …バイアス抵抗
２４  …電源ライン
２５  …クリップ回路
２６  …メモリ
２７  …ダイオード
２８  …ＬＥＤ
２９  …平面コイル
２９Ａ…平面コイル
２９Ｂ…平面コイル
３１  …サブ発振回路
３１Ａ…クラップ発振回路
３２  …サブ検出回路
３３  …コンデンサー
３４  …周波数カウンタ
３５  …検出部
３６  …ダイオード
３７  …トランジスタ
４１  …電池
４２  …充電制御回路
４３  …伝送回路
４４  …磁気シールド
Ｓ１  …スイッチ
Ｓ２  …スイッチ
Ｄ１  …ダイオード
Ｄ２  …ダイオード
【図１】
0005932140.tif 000008
【図２】
0005932140.tif 000009
【図３】
0005932140.tif 000010
【図４】
0005932140.tif 000011
【図５】
0005932140.tif 000012
【図６】
0005932140.tif 000013
【図７】
0005932140.tif 000014
【図８】
0005932140.tif 000015
【図９】
0005932140.tif 000016
【図１０】
0005932140.tif 000017
【図１１】
0005932140.tif 000018